(57)【要約】      （修正有）【課題】使用勝手の良好な枕を提供するものである。【解決手段】枕Ｐは、開閉自在な開口部１ａを有する袋状のカバー１と、このカバー１の開口部１ａを開閉自在とする開閉具Ｚと、袋状のカバー１内に積層して収納された長手方向に長い内装部材２と、袋状のカバー１内に帯状部材をループ状に形成して取り付けられた環状部材３とを備えているものである。【選択図】図４
2012239775.tif 000002
【特許請求の範囲】
【請求項１】
開閉自在な開口部を有する袋状のカバーと、
このカバーの前記開口部を開閉自在とする開閉具と、
前記袋状のカバー内に積層して収納された長手方向に長い内装部材と、
前記袋状のカバー内に帯状部材をループ状に形成して取り付けられた環状部材とを備え、
前記内装部材は前記環状部材の貫通部を介して装着され、装着された前記環状部材は前記内装部材の長手方向と直交する方向の動きを規制するものであり、
前記内装部材は、複数であり、
前記帯状部材は、複数である
ことを特徴とする枕。
【請求項２】
袋状のカバーの上面の裏面側に取り付けられた上面裏面側帯状部材と、
前記袋状のカバーの下面の裏面側に取り付けられた下面裏面側帯状部材とを備え、
前記上面裏面側帯状部材と前記袋状のカバーの上面の裏面との間に内装部材が装着され、装着された前記内装部材は前記内装部材の長手方向と直交する方向の動きが規制され、
前記下面裏面側帯状部材と前記袋状のカバーの下面の裏面との間に内装部材が装着され、装着された前記内装部材は前記内装部材の長手方向と直交する方向の動きが規制される
ことを特徴とする請求項１記載の枕。
【請求項３】
袋状のカバーは、平面視、略矩形形状であり、
開口部は、平面視、略Ｕ字形状である
ことを特徴とする請求項１又は請求項２記載の枕。
【請求項４】
平面視、略矩形形状で、開閉自在な開口部を有する袋状のカバーと、
このカバーの上面に内在された上面側クッション材と、
前記カバーの上面と反対側の下面に内在された下面側クッション材と、
前記袋状のカバー内に積層して収納された複数の内装部材とを有し、
平面視、前記複数の内装部材の外形が前記上面側クッション材及び前記下面側クッション材の外形より小さい
ことを特徴とする枕。
【請求項５】
上面側クッション材が分割されている
ことを特徴とする請求項４記載の枕。
【請求項６】
袋状のカバーは、平面視、略矩形形状であり、
開口部は、平面視、略Ｌ字形状又は略Ｕ字形状である
ことを特徴とする請求項４又は請求項５記載の枕。
【発明の詳細な説明】
【技術分野】
【０００１】
本発明は、枕に係り、特に、使用勝手の良好な枕に関する。
【背景技術】
【０００２】
従来、注文に応じて、使用者の好みに応じて製造される枕がある（例えば、特許文献１参照）。
この枕は、枕内に注文に応じて適宜調整された枕基体部、枕基体収容袋、チップ状フォーム収容袋等を積層して構成されている。
【先行技術文献】
【特許文献】
【０００３】
【特許文献１】特許第４６３２６９１号公報  図１参照
【発明の概要】
【発明が解決しようとする課題】
【０００４】
ところが、上記の枕にあっては、枕を購入し、実際に使用した場合、枕が高すぎたり、逆に低かったり、硬さ等に満足できない場合が生じる。
上記の場合、使用者が調整するには、枕の縫合部を外さなければならないと共に、枕基体収容袋とチップ状フォーム収容袋の紐の結束部を外して、枕基体収容袋、チップ状フォーム収容袋内の収容物等を出し入れして調整しなければならず、使用勝手が良好でないという問題点があった。
【０００５】
本発明は、前記問題点を考慮してなされたもので、使用勝手の良好な枕を提供することを目的とする。
【課題を解決するための手段】
【０００６】
請求項１記載の枕は、開閉自在な開口部を有する袋状のカバーと、このカバーの前記開口部を開閉自在とする開閉具と、前記袋状のカバー内に積層して収納された長手方向に長い内装部材と、前記袋状のカバー内に帯状部材をループ状に形成して取り付けられた環状部材とを備え、前記内装部材は前記環状部材の貫通部を介して装着され、装着された前記環状部材は前記内装部材の長手方向と直交する方向の動きを規制するものであり、前記内装部材は、複数であり、前記帯状部材は、複数である。
【０００７】
また、請求項２記載の枕は、請求項１記載の枕において、袋状のカバーの上面の裏面側に取り付けられた上面裏面側帯状部材と、前記袋状のカバーの下面の裏面側に取り付けられた下面裏面側帯状部材とを備え、前記上面裏面側帯状部材と前記袋状のカバーの上面の裏面との間に内装部材が装着され、装着された前記内装部材は前記内装部材の長手方向と直交する方向の動きが規制され、前記下面裏面側帯状部材と前記袋状のカバーの下面の裏面との間に内装部材が装着され、装着された前記内装部材は前記内装部材の長手方向と直交する方向の動きが規制されるものである。
【０００８】
また、請求項３記載の枕は、請求項１又は請求項２記載の枕において、袋状のカバーは、平面視、略矩形形状であり、開口部は、平面視、略Ｕ字形状である。
【０００９】
また、請求項４記載の枕は、平面視、略矩形形状で、開閉自在な開口部を有する袋状のカバーと、このカバーの上面に内在された上面側クッション材と、前記カバーの上面と反対側の下面に内在された下面側クッション材と、前記袋状のカバー内に積層して収納された複数の内装部材とを有し、平面視、前記複数の内装部材の外形が前記上面側クッション材及び前記下面側クッション材の外形より小さいものである。
【００１０】
また、請求項５記載の枕は、請求項４記載の枕において、上面側クッション材が分割されているものである。
【００１１】
また、請求項６記載の枕は、請求項４又は請求項５記載の枕において、袋状のカバーは、平面視、略矩形形状であり、開口部は、平面視、略Ｌ字形状又は略Ｕ字形状である。
【発明の効果】
【００１２】
請求項１記載の枕によれば、内装部材の厚さ、硬さを選択して、複数の内装部材を袋状のカバー内に積層して収納して、使用者の好みに応じた枕を提供することができ、しかも、袋状のカバーは、開閉自在な開口部を有するため、使用後、枕に不具合が生じた場合、開閉具により開口部を開け、袋状のカバー内の内装部材を容易に代えて、使用者の好みに応じた枕に調整することができ、使用勝手が向上し、つまり、使用者が自分の好みに合わせて自分で簡易且つ迅速に枕を調整でき、更に、内装部材は環状部材の貫通部を介して装着され、装着された前記環状部材は前記内装部材の長手方向と直交する方向の動きを規制するもので、前記内装部材は複数であり、前記環状部材は複数であるため、内装部材の取替が容易であると共に、内装部材全体を覆わない分、使用量を少なくした環状部材により、複数の内装部材の位置を保持して枕を快適に使用することができる。
【００１３】
また、請求項２記載の枕によれば、上述した請求項１記載の発明の効果に加え、袋状のカバーの上面の裏面側に取り付けられた上面裏面側帯状部材と、前記袋状のカバーの下面の裏面側に取り付けられた下面裏面側帯状部材とを備え、前記上面裏面側帯状部材と前記袋状のカバーの上面の裏面との間に内装部材が装着され、装着された前記内装部材は前記内装部材の長手方向と直交する方向の動きが規制され、前記下面裏面側帯状部材と前記袋状のカバーの下面の裏面との間に内装部材が装着され、装着された前記内装部材は前記内装部材の長手方向と直交する方向の動きが規制されるため、上面裏面側帯状部材にあっては袋状のカバーの上面の裏面を、下面裏面側帯状部材にあっては袋状のカバーの下面の裏面を、それぞれ利用するため、その分、帯状部材の使用量を軽減することができる。
【００１４】
また、請求項３記載の枕によれば、上述した請求項１又は請求項２記載の発明の効果に加え、開口部は、平面視、略Ｕ字形状であるため、開口部を大きく開けて、内装部材の出し入れを容易とし、使用者の好みに応じた枕を迅速に調整することができる。
【００１５】
また、請求項４記載の枕によれば、内装部材の厚さ、硬さを選択して、複数の内装部材を袋状のカバー内に積層して収納して、使用者の好みに応じた枕を提供することができ、しかも、袋状のカバーは、開閉自在な開口部を有するため、使用後、枕に不具合が生じた場合、開閉具により開口部を開け、袋状のカバー内の内装部材を容易に代えて、使用者の好みに応じた枕に調整することができ、使用勝手が向上し、つまり、使用者が自分の好みに合わせて自分で簡易且つ迅速に枕を調整でき、更に、平面視、複数の内装部材の外形が上面側クッション材及び下面側クッション材の外形より小さいため、袋状のカバーに当接する頭部及び首部の荷重により上面側クッション材及び下面側クッション材が袋状のカバーの生地を介して複数の内装部材の端面に当接するように変形して、複数の内装部材の移動が上面側クッション材と下面側クッション材により規制されるため、内装部材の取替が容易であると共に、請求項１記載のような環状部材を使用しないで、複数の内装部材の位置を保持して枕を快適に使用することができる。
【００１６】
また、請求項６記載の枕によれば、上述した請求項４記載の発明の効果に加え、開口部は、平面視、略Ｌ字形状又は略Ｕ字形状であるため、内装部材の出し入れが容易で、使用者の好みに応じた枕を迅速に調整することができる。
【図面の簡単な説明】
【００１７】
【図１】図１は、本発明の一実施例の枕の概略的斜視図である。
【図２】図２は、図１の２−２線による概略的断面図である。
【図３】図３は、図１の３−３線による概略的断面図である。
【図４】図４は、図１の枕の袋状のカバーの開口部を開いた状態を示す概略的斜視図である。
【図５】図５は、図４の５−５線による概略的断面図である。
【図６】図６は、図１の枕の使用していない環状部材に内装部材を入れようとする状態の概略的斜視図である。
【図７】図７は、図６の環状部材に内装部材を入れた状態の概略的断面図である。
【図８】図８は、図１の枕と異なる他の実施例の枕の概略的斜視図である。
【図９】図９は、図８の９−９線による概略的断面図である。
【図１０】図１０は、図８の枕の使用状態を示す概略的断面図である。
【図１１】図１１は、図８の概略的平面図である。
【図１２】図１２は、図８の１２−１２線による概略的断面図である。
【図１３】図１３は、図８の枕の袋状のカバーの開口部を開いて、内装部材を入れようとする状態の概略的斜視図である。
【図１４】図１４は、図１３の枕の袋状のカバー内に一枚の内装部材を入れようとする状態の概略的斜視図である。
【図１５】図１５は、図１４の枕の袋状のカバー内に一枚の内装部材を入れた状態を示す概略的断面図である。
【図１６】図１６は、図１１の枕と異なる他の実施例の枕の概略的平面図である。
【発明を実施するための形態】
【００１８】
本発明の一実施例の枕を図面を参照して説明する。
図１乃至図５に示すＰは枕で、枕Ｐは、例えば、幅約５０cm、奥行き約３０cm、高さ約１１cmで、袋状のカバー１内に長手方向に長い複数の内装部材（長手部材）２（２１、２２、２３、２４、２５、２６）を積層して収納されている。内装部材２（２１、２２、２３、２４、２５、２６）は、例えば、平面視、矩形形状である。
袋状のカバー１は開閉自在な開口部１ａを有し、該開口部１ａは開閉具Ｚにより開閉自在となっている。
袋状のカバー１は、平面視、略矩形形状で、開口部１ａは、平面視、略Ｕ字形状で、開口部１ａを大きく開けて（図４参照）、内装部材２（２１、２２、２３、２４、２５、２６）の出し入れを容易としている。
上述した開閉具Ｚは、例えば、スライドファスナであり、開口部１ａの対向する縁部にそれぞれジッパーテープＺ１、Ｚ１を取り付け、ジッパーテープＺ１、Ｚ１の務歯をスライドＺ２によりかみ合わせ又は解除させたりして、開口部１ａを開閉するようにしている。
【００１９】
また、内装部材２（２１、２２、２３、２４、２５、２６）は、使用者の好みに応じて材質、厚み等を適宜設定されるもので、
例えば、内装部材２１はハニカムメッシュ状に形成されたものであり、内装部材２２は綿を内在したものであり、内装部材２３は低反発ウレタンで形成されたものであり、内装部材２４は内装部材２３より堅いウレタンで形成されたものであり、内装部材２５はチップ圧縮ウレタンであり、内装部材２６は高さ調節シートである。
また、内装部材２１の上、つまり、頭部に面する側に、図示しない保冷シート等を入れても良く、また、内装部材２３及び内装部材２４のウレタンに「消臭効果のあるカテキン」を内在するようにしても良いし、また、内装部材２（２１、２２、２３、２４、２５、２６）は、図示のものに限らず、別途、市販されている内装部材（図示せず）の他、タオル（図示せず）等を利用することもできる。
【００２０】
また、３は環状部材で、環状部材３は帯状部材をループ状に形成して袋状のカバー内に取り付けられたもので、環状部材３は複数（本実施例では、３個）設けられている。
環状部材３は、袋状のカバー１の上面から袋状のカバー１の下面に向かって、環状部材３１、環状部材３２、環状部材３３の順に取り付けられている。
そして、複数の内装部材２１、２２、２３、２４、２５、２６の内、内装部材２３は環状部材３（３２）の貫通部を介して装着され、内装部材２４は環状部材３（３３）の貫通部を介して装着され、装着された環状部材３（３２）は内装部材２３の長手方向と直交する方向の動きを、装着された環状部材３（３３）は内装部材２４の長手方向と直交する方向の動きを、それぞれ規制し、内装部材２３、２４の移動が阻止されるようになっている。
なお、図１乃至図５記載の本実施例においては、内装部材２３は、環状部材３２の貫通部３２ａを介して装着され、内装部材２４は、環状部材３３の貫通部３３ａを介して装着され、環状部材３１は、内装部材２を装着していない。
また、環状部材３１、環状部材３２、環状部材３３は、帯状部材をループ状に形成して袋状のカバー１内に取り付けられているが、帯状部材をループ状に形成しなくても、上面裏面側帯状部材３１’のように、袋状のカバー１の上面の裏面側に帯状部材を取り付けても、また、下面裏面側帯状部材３２’のように、袋状のカバー１の下面の裏面側に帯状部材を取り付けても良い。
即ち、上面裏面側帯状部材３１’と袋状のカバー１の上面の裏面との間のスペースに内装部材２（２１、２２）が装着され、装着された内装部材２（２１、２２）は内装部材２（２１、２２）の長手方向と直交する方向の動きが規制されることとなる。
また、下面裏面側帯状部材３２’と袋状のカバー１の下面の裏面との間のスペースに内装部材２（２５、２６）が装着され、装着された内装部材２（２５、２６）は内装部材２（２５、２６）の長手方向と直交する方向の動きが規制されることとなる。
【００２１】
従って、上述した図１乃至図５記載の枕Ｐによれば、内装部材の厚さ、硬さを選択して、複数の内装部材２（２１、２２、２３、２４、２５、２６）を袋状のカバー１内に積層して収納して、使用者の好みに応じた枕を提供することができ、使用勝手が向上し、
また、例えば、図２記載の枕Ｐの高さｈが低い場合、図６及び図７記載のように、環状部材３１に内装部材２（２７）を装着して、枕Ｐの高さＨ（Ｈ＞ｈ）とすることができ（図７参照）、しかも、袋状のカバー１は、開閉自在な開口部１ａを有するため、使用後、枕Ｐに不具合が生じた場合、開閉具Ｚにより開口部１ａを開け、袋状のカバー１内の内装部材２１、２２、２３、２４、２５、２６を容易に代えて、使用者が好みに応じた枕Ｐに調整することができ、
更に、内装部材２（２１、２２）は上面裏面側帯状部材３１’と袋状のカバー１の上面の裏面との間に装着され、装着された内装部材２（２１、２２）は内装部材２（２１、２２）の長手方向と直交する方向の動きを規制するもので、また、内装部材２（２３、２４）は環状部材３（３３、３４）の貫通部を介して装着され、装着された内装部材２（２３、２４）は内装部材２（２３、２４）の長手方向と直交する方向の動きを規制するもので、また、内装部材２（２５、２６）は下面裏面側帯状部材３２’と袋状のカバー１の下面の裏面との間に装着され、装着された内装部材２（２５、２６）は内装部材２（２５、２６）の長手方向と直交する方向の動きを規制するもので、内装部材２（２１、２２、２３、２４、２５、２６）は複数であり、環状部材３（３１、３２、３３）は複数であるため、内装部材２の取替が容易であると共に、内装部材２（２１、２２、２３、２４、２５、２６）全体を覆わない分、使用量を少なくした環状部材により、複数の内装部材２（２１、２２、２３、２４、２５、２６）の位置を保持して枕Ｐを快適に使用することができる。
なお、特に、内装部材２（２１、２２）を装着する際、上面裏面側帯状部材３１’にあっては袋状のカバー１の上面の裏面を、内装部材２（２５、２６）を装着する際、下面裏面側帯状部材３２’にあっては袋状のカバー１の下面の裏面を、それぞれ利用するため、その分、帯状部材の使用量を軽減することができる。
【００２２】
次に示す図８乃至図１５記載の枕Ｐの実施例は、図１乃至図７記載の枕Ｐと異なる他の実施例の枕Ｐで、図８乃至図１５記載の枕Ｐは、図１乃至図７記載の枕Ｐと同様、平面視、略矩形形状で、開閉自在な開口部１ａを有し、該開口部１ａは開閉具Ｚにより開閉自在となっている。
袋状のカバー１は、平面視、略矩形形状で、開口部１ａは、平面視、略Ｌ字形状又は略Ｕ字形状（図示せず）で、開口部１ａを大きく開けて（図１３及び図１４参照）、内装部材２（２１、２２、２３）の出し入れを容易としている。
カバー１の上面に上面側クッション材１０が内在され、カバー１の上面と反対側の下面に下面側クッション材２０が内在されている。
そして、図１乃至図１３に示すように、袋状のカバー１内に複数の内装部材２（２１、２２、２３）を積層して収納されている。
また、図１１に示すように、平面視、複数の内装部材２（２１、２２、２３）の外形は上面側クッション材１０及び下面側クッション材２０の外形より小さくなって、複数の内装部材２（２１、２２、２３）は、上面側クッション材１０と下面側クッション材２０により挟持されるようになっている。なお、上面側クッション材１０は、図示では、複数（例えば、３分割）に分割されているが、図１６に示すように一体でも良い。また、下面側クッション材２０は、１個であるが、複数に分割（図示せず）して構成しても良い。
【００２３】
従って、図８乃至図１５記載の枕Ｐによれば、内装部材２（２１、２２、２３）の厚さ、硬さを選択して、複数の内装部材２（２１、２２、２３）を袋状のカバー１内に積層して収納して、使用者の好みに応じた枕を提供することができ、使用勝手が向上し、
また、例えば、図９記載の枕Ｐの高さが高い場合、複数の内装部材２（２１、２２、２３）の内、内装部材２１、２３を取り除いて、図１４及び図１５記載のように、内装部材２２のみとして、枕Ｐの高さを低くすることができ（図１５参照）、しかも、袋状のカバー１は、開閉自在な開口部１ａを有するため、使用後、枕Ｐに不具合が生じた場合、開閉具Ｚにより開口部１ａを開け、袋状のカバー１内の内装部材２１、２２、２３を容易に代えて、または、積層する内装部材の枚数を増減等して、使用者が好みに応じた枕Ｐに調整することができ、
更に、平面視、複数の内装部材２（２１、２２、２３）の外形が上面側クッション材１０及び下面側クッション材２０の外形より小さいため、図１０に示すように、袋状のカバー１に当接する頭部及び首部の荷重により上面側クッション材１０及び下面側クッション材２０が袋状のカバー１の生地を介して複数の内装部材２（２１、２３）の端面に当接するように変形して挟持し、複数の内装部材２（２１、２３）の移動が上面側クッション材１０と下面側クッション材２０により規制されるため、内装部材２の取替が容易であると共に、図１乃至図７記載のような環状部材３を使用しないで、複数の内装部材２の位置を保持して枕を快適に使用することができる。
【符号の説明】
【００２４】
Ｐ      枕
１      カバー
１ａ    開口部
２      内装部材
３      環状部材
【図１】
2012239775.tif 000003
【図２】
2012239775.tif 000004
【図３】
2012239775.tif 000005
【図４】
2012239775.tif 000006
【図５】
2012239775.tif 000007
【図６】
2012239775.tif 000008
【図７】
2012239775.tif 000009
【図８】
2012239775.tif 000010
【図９】
2012239775.tif 000011
【図１０】
2012239775.tif 000012
【図１１】
2012239775.tif 000013
【図１２】
2012239775.tif 000014
【図１３】
2012239775.tif 000015
【図１４】
2012239775.tif 000016
【図１５】
2012239775.tif 000017
【図１６】
2012239775.tif 000018